(57)【要約】【課題】濡れ傘の表面の水滴を払拭し、残滴は傘の石突きを挿入した吸水体で吸水し滴下を防ぎ、混雑する乗り物での接触濡れや床への滴下を防ぎ、濡れ傘対策機やビニール袋を不要とし、経済的で地球環境にやさしい何度でも使用出来る安価でコンパクトな傘の水滴払拭具を提供する。【解決手段】畳んだ濡れ傘の表面を払拭し、水滴を吸水する払拭体２と、その傘の滴水を吸水する吸水体３とよりなり、その払拭体２と吸水体３の略中心位置には傘の石突き５を挿通する挿通孔２ａ，３ａが形成され、各々の挿通孔の芯が合致する位置で払拭体の上面に吸水体が重着されると共に、その挿通孔２ａ、３ａ、は伸縮自在である。【選択図】図３
2017035423.tif 000002
【特許請求の範囲】
【請求項１】
畳んだ濡れ傘の表面を払拭し、水滴を吸水する払拭体と、その傘の滴水を吸水する吸水体とよりなり、その払拭体と吸水体の略中心位置には傘の石突きを挿通する挿通孔が形成され、各々の挿通孔の芯が合致する位置で払拭体の上面に吸水体が重着されると共に、その挿通孔は伸縮自在であることを特徴とする傘の水滴吸水具。
【発明の詳細な説明】
【技術分野】
【０００１】  本発明は、畳んだ濡れ傘の携行で、その濡れ傘の他への接触による濡れや、床への滴下を防ぐための濡れ傘水滴吸水具に関する。
【背景技術】
【０００２】  従来、雨天日に建物内に濡れ傘を持ちこむ場合、濡れ傘の他への接触による濡れや、床への滴下を防止する対策として、出入り口付近に設置された特殊スポンジの付いた水滴吸水機に濡れ傘を入れ、特殊スポンジに接触させて水滴を吸水させるか、傘袋装着機が供給するビニール製の傘袋の使用か、傘袋スタンドに吊設しているビニール製の傘袋を使用するか、または、建物内に持ち込まないよう出入り口付近に設置した傘立てに納置するのが一般的であった。
【発明の概要】
【発明が解決しようとする課題】
【０００３】  上記、出入り口付近に設置された傘立ての利用の場合は、傘を建物内に持ち込まず傘立てに納置しておくため、取り違えや盗難の危険があり、鍵付きの場合は面倒であり、また、鍵を紛失する恐れもあった。【０００４】  ビニール袋利用の場合、使用後のビニール袋の捨て場はゴミの山と化し、片付けや清掃に大変な労力を必要としていた。また、このビニール袋は携行中、傘の石突きを床に突くことで穴があき、溜った水が床に流れ出ることもあった。【０００５】  上記ビニール袋は、製造には勿論、廃棄にも費用がかかり非常に不経済であり、地球環境にも悪影響を与えていた。【０００６】  傘袋装着機や水滴吸水機の場合、本体が高価であり、メンテナンスも必要でランニングコストもかかり不経済で、更に出入り口付近の貴重なスペースに保管場所が必要であった。【０００７】  建物によっては濡れ傘の対策が取られていないところもあり、特に駅構内や乗り物には対策が取られていないのが現状で、床の濡れで足を滑らせ転倒する危険もあった。【０００８】混雑している乗り物内では、濡れ傘が自分や周りの乗客の衣服に触れ、非常に不快な思いをしていた。【０００９】  本発明は、斯かる事情に鑑みてなされたもので、従来の前記問題を一挙に解決することが出来る、濡れ傘水滴吸水具を提供することを目的とする。
【課題を解決するための手段】
【００１０】  前記目的を達成するために本発明は、畳んだ濡れ傘の表面を払拭し、水滴を吸水する払拭体と、その傘の滴水を吸水する吸水体とよりなり、その払拭体と吸水体の略中心位置には傘の石突きを挿通する挿通孔が形成され、各々の挿通孔の芯が合致する位置で払拭体の上面に吸水体が重着されると共に、その挿通孔は伸縮自在であることを特徴とする。
【発明の効果】
【００１１】  本発明の濡れ傘水滴吸水具は、畳んだ濡れ傘の表面の水滴を払拭する払拭体と、拭き残しの滴水を受けて吸水する吸水体とよりなっている。この濡れ傘水滴吸水具は略Ｕ字形状で、畳んだ傘の水滴を拭くときは、手に持った略Ｕ字形状の濡れ傘水滴吸水体の両端側を開き、その底面に傘をのせ、軽く握った感じで傘を回転させ濡れ傘水滴吸水具を移動させて水滴を吸水させる。次に逆回転させて払拭すると吸水面が広くなり吸水量が多くなる。また傘を回転させないで濡れ傘水滴吸水具の直線的な移動でもよく、払拭方法は限定されない。払拭後、傘の生地をまとめる為、傘に装着されている生地押さえバンドを止め生地をまとめ、石付きを濡れ傘水滴吸水具に挿入し吸水具保持バンドを締め固着する。これより携行しても拭き残した水滴が滴水しても吸水体が受けて吸水するので床面に滴下することがない。この吸水体の吸水量が飽和状態になったとき、吸水体を押圧して絞り、排水することにより幾度でも回数を重ねる事ができる。この吸水体の挿通孔は弾性力があり伸縮自在であるため、各傘の石突き径の差に適合する。石突きの径が吸水体の挿通孔の径より細い場合、傘の石突きに挿着されている円錐台の形状をしている陣傘まで吸水体に挿通するとこの陣笠の同径部以上に敵合し、ここで滴水を受け吸水し床への滴下を防ぐ。【００１２】  尚、本発明での「適合」とは、傘の石付きの径及び陣笠の径が吸水体の挿通孔の径以上であることをさす。また、傘の石突きが挿通される挿通孔の「伸縮」は払拭体と吸水体の両方であっても吸水体のみであってもよい。また、「畳んだ濡れ傘」とは傘をしぼめ、生地を開放している状態である。
【図面の簡単な説明】
【００１３】
【図１】  本発明による濡れ傘水滴吸水具を展開した状態の斜視図である。
【図２】  図１の濡れ傘水滴吸水具で、折り畳んだ傘表面の水滴を払拭する状態を示す斜視図。
【図３】  濡れ傘水滴吸水具の石突き挿入孔に石突きを挿入し、滴水の滴をふせぐ状態を示す斜視図。
【発明を実施するための形態】
【実施例】
【００１４】  本発明の実施の形態を添付図面に例示した本発明の実施例に基づいて、以下に具体的に説明する。【００１５】  添付図面において、図１は濡れ傘水滴吸水具１の払拭体２中央に形成されている石突き５を挿通する払拭体挿通孔２ａの略芯上に吸水体３に形成されている吸水体挿通孔３ａの芯が略合致する位置に重着している。この濡れ傘水滴吸水具１の払拭体２は吸水効率の良い材質を使用しているが吸水体３は吸水力と保水力に優れ弾性力もあり、石突き５の挿通孔３ａは伸縮自在である。これにより色々なサイズの石突き５に適合する。石突き５のサイズが挿通孔３ａより細い場合はテーパーの付いている陣笠６の適合位置まで挿通することで対応できる。この払拭体２と吸水体３の挿通孔２ａ、３ａの形状は同形状でなく、また払拭体２の挿通孔２ａは大きな孔を形成することで伸縮しなくてもよい。【００１６】  濡れ傘を払拭するときはこの吸水体３も傘を受けた状態になり当然払拭体２と共に水滴を吸水する。この吸水体３の吸水量が飽和状態になった場合指でつまむ程度で簡単に排水でき、この繰り返しで何回でも滴下防止に対応出来る。この濡れ傘水滴吸水具１の表面となる面を防水材を使用することで、絞って排水するとき手の濡れを防ぐことができる。【００１７】  図２は傘の水滴を払拭する状態で図１の濡れ傘水滴吸水具１の長手方向を中央より略Ｕ字形状に折り曲げ傘を受けている。この状態で傘を回転させながら払拭体２の位置を変えていくと、その払拭された面の水滴が吸水される。払拭は正逆の回転で払拭するとより吸水量が高まる。払拭の仕方により吸水量に差がでるがこの濡れ傘水滴吸水具１を目にすると同乗者は安心し、混雑の乗り物での不快感は大きく緩和される。【００１８】  図３は建物内で濡れ傘を携行する状態で図２の濡れ傘水滴吸水具１に石突き５を挿入し吸水具保持バンド４を締めて装着している。傘も払拭された傘の生地７をまとめ、生地押さえバンド８で押さえている。これにより濡れ傘の携行で払拭もれの水滴が傘の軸に沿って滴水するのを受け床に滴下するのを防いでいる。傘の石突き５が吸水体３の挿通孔３ａより細い場合は円錐台形状の陣笠６まで上げると径の合致がみられる。【００１９】  以上、本発明の実施例について説明したが、本発明はその実施例に限定されることなく、本発明の範囲内で種々の実施例が可能である。たとえば実施例では平面状の濡れ傘水滴吸水具の払拭体と吸水体を各々に形成しているが一体で形成してもよい。また平面状を手に持ち略Ｕ字形状にしてそこに傘をのせ払拭し、払拭後その形状を保持しながら石突きを挿通孔に挿通し、吸水具保持バンドを締め装着しているが、最初から形状を略Ｕ字形状に形成してもよく、また装飾を形成または装着してもよい。この濡れ傘水滴吸水体は雨上がりの傘の携行で装着のままでも、外して取っ手に引っ掛けてもコンパクトであるから邪魔にならず、むしろワンポイントになる。
【符号の説明】
【００２０】  １・・・・・濡れ傘水滴吸水具
２．．．．．払拭体
２ａ・・・・払拭体挿通孔
３．．．．．吸水体
３ａ・・・・吸水体挿通孔
４．．．．．吸水具保持バンド
５．．．．．石突き
６．．．．．陣笠
７．．．．．生地
８．．．．．生地押さえバンド
【図１】
2017035423.tif 000003
【図２】
2017035423.tif 000004
【図３】
2017035423.tif 000005